(57)【要約】  周期的な休止期間中に、移動通信システムにおいて１つ以上の基地局でノイズが測定される。リバースリンクチャンネルフレーム境界とは独立する少なくとも１つのキャリアについて周期的な休止期間が定義される。無線基地局は、周期的な休止期間を定義する休止パラメータを移動局に送信し、それは、周期的な休止期間中に送信を停止する。移動局には時間基準が提供されて、全移動局について休止期間を同期する。
2007531347.tif 000002
【特許請求の範囲】
【請求項１】
移動通信システムにおいて１つ以上の基地局でノイズを測定する方法であって、
リバースリンクチャンネルフレーム境界とは独立する少なくとも１つのキャリアについて周期的な休止期間を定義し、
その周期的な休止期間を定義する休止パラメータを、基地局と通信する移動局に送信し、その移動局は、その周期的な休止期間中に送信を停止しており、かつ
その周期的な休止期間中に各基地局でノイズを測定する
ステップを備える方法。
【請求項２】
休止パラメータには、休止期間の周波数を指示する周波数パラメータと、休止期間の時間を指示する期間パラメータと、非同期リバースリンクチャンネルについて休止期間を同期させる絶対時間基準を提供する時間基準パラメータとが含まれている請求項１に記載の方法。
【請求項３】
周期的な休止期間が、少なくとも２つの連続するリバースリンクフレームの一部を包含する請求項１に記載の方法。
【請求項４】
周期的な休止期間中に各基地局でノイズを測定するステップには、周期的な休止期間中にノイズのパワーを測定することが含まれる請求項１に記載の方法。
【請求項５】
ノイズには隣接するキャリアの干渉が含まれている請求項１に記載の方法。
【請求項６】
移動通信システムはマルチキャリアシステムであり、かつ周期的な休止期間は少なくとも１つのキャリアについて定義されている請求項１に記載の方法。
【請求項７】
移動局の第１のグループを、周期的な休止期間を備える第１のキャリアに割り当て、かつ
移動局の第２のグループを、周期的な休止期間を備えない第２のキャリアに割り当てる
ステップをさらに備える請求項６に記載の方法。
【請求項８】
周期的な休止期間が複数のキャリアについて定義される請求項６に記載の方法。
【請求項９】
周期的な休止期間が２つ以上のキャリアについて同期される請求項８に記載の方法。
【請求項１０】
周期的な休止期間が全キャリアについて定義される請求項６に記載の方法。
【請求項１１】
周期的な休止期間が全キャリアについて同期される請求項１０に記載の方法。
【請求項１２】
休止期間を認識しない古い移動局に、休止期間中にリバースリンクでの送信を停止させるステップをさらに備える請求項１に記載の方法。
【請求項１３】
休止期間を認識しない古い移動局に、休止期間中にリバースリンクでの送信を停止させるステップには、古い移動局を休止期間中にダミーのキャリアに割り当てることが含まれる請求項１２に記載の方法。
【請求項１４】
休止期間を認識しない古い移動局に、休止期間中にリバースリンクでの送信を停止させるステップには、古い移動局に、休止期間中に異なるキャリアで候補周波数のサーチを行うように指図することが含まれる請求項１２に記載の方法。
【請求項１５】
休止期間の時間は少なくとも１フレームである請求項１に記載の方法。
【請求項１６】
休止期間の時間は１フレーム未満である請求項１に記載の方法。
【請求項１７】
休止期間中に順方向リンクパワー制御チャンネルでのパワー制御コマンドの送信を一時停止するステップをさらに備える請求項１に記載の方法。
【請求項１８】
リバースリンクチャンネルフレーム境界とは独立する少なくとも１つのキャリアについて周期的な休止期間を定義するコントローラと、
周期的な休止期間を定義する休止パラメータを移動局に送信する送信機と、
周期的な休止期間中にノイズを測定する測定回路を含む受信機と
を備える移動通信システムにおける基地局。
【請求項１９】
休止パラメータには、休止期間の周波数を指示する周波数パラメータと、休止期間の時間を指示する期間パラメータと、非同期リバースリンクチャンネルについて休止期間を同期させる絶対時間基準を提供する時間基準パラメータとが含まれている請求項１８に記載の基地局。
【請求項２０】
周期的な休止期間が、少なくとも２つの連続するフレームの一部を包含する請求項１８に記載の基地局。
【請求項２１】
周期的な休止期間中にノイズのパワーを受信機が測定する請求項１８に記載の基地局。
【請求項２２】
ノイズには隣接するキャリアの干渉が含まれている請求項１８に記載の基地局。
【請求項２３】
移動通信システムはマルチキャリアシステムであり、かつコントローラは少なくとも１つのキャリアについて周期的な休止期間を定義する請求項１８に記載の基地局。
【請求項２４】
コントローラが、移動局の第１のグループを周期的な休止期間を備える第１のキャリアに割り当て、かつ
移動局の第２のグループを周期的な休止期間を備えない第２のキャリアに割り当てるようさらに動作可能である請求項２３に記載の基地局。
【請求項２５】
周期的な休止期間が複数のキャリアについて定義される請求項２３に記載の基地局。
【請求項２６】
周期的な休止期間が２つ以上のキャリアについて同期される請求項２５に記載の基地局。
【請求項２７】
周期的な休止期間が全キャリアについて定義される請求項２３に記載の基地局。
【請求項２８】
周期的な休止期間が全キャリアについて同期される請求項１８に記載の基地局。
【請求項２９】
コントローラが、休止期間を認識しない古い移動局に、休止期間中にリバースリンクで送信するのを停止させるようにさらに動作可能である請求項１８に記載の基地局。
【請求項３０】
コントローラが、古い移動局を、休止期間中にダミーのキャリアに割り当てる請求項２９に記載の基地局。
【請求項３１】
コントローラが、古い移動局に、休止期間中に異なるキャリアで候補周波数のサーチを行うように指示する請求項２９に記載の基地局。
【請求項３２】
休止期間の時間が少なくとも１フレームである請求項１８に記載の基地局。
【請求項３３】
休止期間の時間が１フレーム未満である請求項１８に記載の基地局。
【請求項３４】
コントローラが、休止期間中に、順方向リンクパワー制御チャンネルでパワー制御コマンドを送信するのを一時停止する請求項１８に記載の基地局。
【請求項３５】
移動通信ネットワークにおける移動局であって、
１つ以上のリバースリンクチャンネルで１つ以上の基地局に信号を送信する送信機と、
リバースリンクチャンネルフレーム境界とは独立する周期的な休止期間を定義する休止パラメータを基地局から受信する受信機と、
送信機および受信機に動作可能に接続されるコントローラであって、周期的な休止期間中に送信機を停止させるよう動作可能である前記コントローラと
を備える移動局。
【請求項３６】
コントローラが、周期的な休止期間の初めに次第にパワーを送信し、休止期間の終りに次第に送信パワーを増大させるようさらに動作可能である請求項３５に記載の移動局。
【請求項３７】
休止パラメータには、休止期間の周波数を指示する周波数パラメータと、休止期間の時間を指示する期間パラメータと、非同期リバースリンクチャンネルについて休止期間を同期させる絶対時間基準を提供する時間基準パラメータとが含まれている請求項３５に記載の移動局。
【請求項３８】
周期的な休止期間は、少なくとも２つの連続するフレームの一部を包含する請求項３５に記載の移動局。
【請求項３９】
コントローラは、休止期間中に順方向パワー制御チャンネルを無視するようプログラムされている請求項３５に記載の移動局。
【請求項４０】
休止期間の時間が少なくとも１フレームである請求項３５に記載の移動局。
【請求項４１】
休止期間の時間が１フレーム未満である請求項３５に記載の移動局。
【請求項４２】
移動通信システムにおいて、１つ以上の基地局でノイズを測定する方法であって、
フレームタイミングの異なる少なくとも２つのリバースリンクチャンネルについて非同期でかつ重畳する休止期間を定義し、
周期的な休止期間を定義する休止パラメータを移動局に送信し、ここで、移動局は、周期的な休止期間中にリバースリンクチャンネルでの送信を停止し、
周期的な休止期間において重畳する間、各基地局でノイズを測定する
ステップを備える方法。
【請求項４３】
周期的な休止期間は、少なくとも２つの連続するリバースリンクフレームの一部を包含する請求項４２に記載の方法。
【請求項４４】
周期的な休止期間中に、各基地局でノイズを測定するステップが周期的な休止期間中にノイズのパワーを測定することを含む請求項４２に記載の方法。
【請求項４５】
ノイズには、隣接するキャリアの干渉が含まれる請求項４２に記載の方法。
【請求項４６】
移動通信システムがマルチキャリアシステムであり、かつ周期的な休止期間が少なくとも１つのキャリアで全てのリバースリンクチャンネルについて定義される請求項４２に記載の方法。
【請求項４７】
休止期間の時間が少なくとも１フレームである請求項４２に記載の方法。
【請求項４８】
休止期間の時間が１フレーム未満である請求項４２に記載の方法。
【請求項４７】
移動通信システムにおけるバックグラウンドノイズの測定を容易にする送信方法であって、
リバースリンクチャンネルフレーム境界とは独立する少なくとも１つのキャリアについて周期的な休止期間を定義し、
フレームが休止期間と重畳するかどうかを決定し、
フレームが休止期間と重畳するかどうかの決定に応答して送信機を制御する
ステップを備える方法。
【請求項４８】
フレームが休止期間と重畳するかどうかの決定に応答して送信機を制御するステップが、そのフレームの最初の部分を送信し、その休止期間中にそのフレームの送信を一時中断し、かつその休止期間に続いてフレームの第２の部分を送信するステップを備える請求項４７に記載の方法。
【請求項４９】
フレームが休止期間と重畳するかどうかの決定に応答して送信機を制御するステップが、フレームが休止期間と重畳するならばフレームの送信を遅延させ、かつ休止期間に続いて遅延されたフレームを送信するステップを備える請求項４７に記載の方法。
【請求項５０】
フレームが休止期間に重畳するかどうかの決定に応答して送信機を制御するステップが、フレームが休止期間に重畳するならばそのフレームを消去するステップを備える請求項４７に記載の方法。
【請求項５１】
無線通信ネットワーク用の通信装置であって、
複数のフレームに分割されるチャンネルで信号を送信する送信機と、
その送信機に動作可能に接続されるコントローラであって、フレームが休止期間に重畳するかどうかを決定し、ここでその休止期間はフレーム境界とは独立しており、かつ
フレームが休止期間と重畳するかどうかの決定に応答して送信機を制御するよう動作可能である前記コントローラと
を備える通信装置。
【請求項５２】
コントローラによって、トランスミッターは、
フレームの最初の部分を送信し、
休止期間中にフレームの送信を一時中断し、かつ
送信を再開して休止期間に続いてフレームの第２の部分を送信するようになる
請求項５１に記載の通信装置。
【請求項５３】
コントローラによって、トランスミッターは、休止期間と重畳するフレームの送信を遅延させ、かつ休止期間に続いてその遅延されたフレームを送信するようになる請求項５２に記載の通信装置。
【請求項５４】
コントローラは、休止期間と重畳するフレームを消去する請求項５２に記載の通信装置。
【発明の詳細な説明】
【技術分野】
【０００１】
（関連出願）
本出願は、３５Ｕ．Ｓ．Ｃ．１１９（ｅ）条のもとで以下の仮出願からの優先権を主張する：２００３年７月１４日付出願第６０／４８６，９３４号。この出願は、文献の援用によってその全体がここに組み込まれる。
【０００２】
（発明の背景）
本発明は、一般には、ＣＤＭＡネットワークにおけるリバースリンクチャンネルについてのレート制御およびパワー制御のような適応制御メカニズムに関し、より詳しくは、ＣＤＭＡネットワークにおける無線基地局での負荷を見積もる方法に関する。
【背景技術】
【０００３】
ＣＤＭＡネットワークは、干渉が制限されるシステムである。全ての移動局が同じ周波数で動作するので、ネットワーク内で生成される内部干渉が、システムの能力や信号の質を決定するのに重大な役割を果たす。各移動局からの送信パワーは、基地局でのリバースリンク負荷に影響を与えるが、それを制御して、例えば、ビットエラーレート（ＢＥＲ）、フレームエラーレート（ＦＥＲ）、容量、ドロップコールレート、カバレッジなどのような所望のパフォーマンスの目標を維持しつつ、干渉を制限する必要がある。リバースリンク負荷が高くなり過ぎると、アウテージ（ｏｕｔａｇｅ）が広範囲に生じる。最小限の信号の質の基準を維持するのに要されるパワーが移動局の最大送信パワーよりも大きくなったときに、アウテージが生じると考えられる。
【０００４】
無線基地局でのリバースリンク負荷の一つの尺度は、ライズオーバーサーマル（Ｒｉｓｅ  Ｏｖｅｒ  Ｔｈｅｒｍａｌ：ＲｏＴ）と呼ばれる。ＲｏＴは一般に、基地局で全ての移動局から受信されるパワーの合計とサーマルノイズの比として定義される。ＲｏＴは、リバースリンクレート制御、呼び出し許可制御および高速パケットデータチャンネル用リバースリンクスケジュールのための重要な尺度である。ＲｏＴを正確に測定することは、長年の問題である。基地局での干渉およびバックグラウンドノイズの合計を測定することは比較的容易であるが、両者の比、すなわち、関係する尺度であるＲｏＴを測定することはより困難である。問題となるのは、基地局がほとんどいつも通信状態にあって、バックグラウンドノイズを測定する機会がないことである。本発明は、一般には、ＣＤＭＡネットワークにおけるリバースリンクチャンネルのレート制御およびパワー制御のような適応制御機構に関し、より詳しくは、ＣＤＭＡネットワークにおける無線基地局で負荷を見積もる方法に関する。
【発明の開示】
【発明が解決しようとする課題】
【０００５】
ＲｏＴを測定する上での問題は、通信システムにおいて（セル間および隣接するキャリア干渉を含む）バックグラウンドノイズのノイズパワーを測定することにある。バックグラウンドノイズパワーを測定するのに過去に２つの技法が用いられている。１つめの技法は、基地局で復調される信号についての信号対干渉プラスノイズ比（ＳＩＮＲ）の見積もりに基づいてＲｏＴを見積もるものである。しかしながら、この技法によっては、ＲｏＴの荒い見積もりしかできない。
【０００６】
ＲｏＴを測定する第２の技法は、周期的な間隔で全ネットワークにおける全ての移動局を休止化させて、その休止期間のノイズパワーを測定するものである。休止期間中は、移動局からの信号が基地局で受信されないので、基地局は、バックグラウンドノイズパワーを正確に測定することができる。基地局で受信されるパワーの合計とバックグラウンドノイズパワーの比がＲｏＴとなる。
【０００７】
周期的な休止期間中にバックグラウンドノイズを測定するというアイデアは、全ての移動局からのリバースリンクフレームが時系列であり、かつデータトラフィックが遅延許容されるシステムに対して提唱された。周期的な休止期間が提唱されているシステムには、ＩＳ‐８５６および１ｘＥＶ‐ＤＯシステムがある。これらのシステムでのリバースリンクフレームは同期するので、単一フレームについて全移動局を休止化するのは比較的容易な作業である。あるいは、システムが全く新しいので、そのシステムは古い移動局との互換性を維持する必要がない。従来技術の解決法におけるもう一つの問題は、マルチキャリアシステムにおいて隣接するキャリア干渉の原因を説明するのに何の対策も取られていないというものである。
【課題を解決するための手段】
【０００８】
（発明の概要）
本発明は、移動局が、全てのリバースリンクチャンネルでは同期して送信することのない移動通信局において、ノイズを測定する手段および装置に関する。本発明の種々の実施例によると、基地局がノイズを測定する間、全てのリバースリンクチャンネルで全ての移動局の送信機が周期的に休止化される。測定されるノイズには、セル間および隣接するキャリア干渉が含まれている。測定されるノイズは、基地局でリバースリンク負荷を決定するのに用いられる。
【０００９】
発明の１つの実施例において、リバースリンクチャンネルでフレーム境界とは独立した周期的な休止期間が定義される。リバースリンクチャンネルで送信する全ての移動局について、休止期間を同期させるのに絶対時間基準が提供される。
【００１０】
発明の第２の実施例において、異なるフレームタイミングを備えるリバースリンクチャンネルについて、非同期で重畳する休止期間が定義される。この実施例において、休止期間は、好ましくはフレーム境界と一致し、かつ２つ以上のフレームを包含する。ＲＢＳは、休止期間が重畳する時間中にバックグラウンドノイズを測定する。
【実施例】
【００１１】
（発明の詳細な説明）
図面を参照して、図１は、本発明が実施される代表的な無線通信ネットワーク１０を例示する。ネットワーク１０は、パケット切り替え通信ネットワークであって、例えばＩＳ‐２０００／２００１ファミリーの基準によるｃｄｍａ２０００無線ネットワークである。しかしながら、広帯域ＣＤＭＡ（ＷＣＤＭＡ）やユニバーサル移動通信システム（ＵＭＴＳ）基準のような他の基準によって無線通信ネットワークが構成されていてもよいことが、当業者には理解される。
【００１２】
ネットワーク１０には、パケット切り替えコアネットワーク（Ｐａｃｋｅｔ−Ｓｗｉｔｃｈｅｄ  Ｃｏｒｅ  Ｎｅｔｗｏｒｋ：ＰＳＣＮ）２０や無線アクセスネットワーク（Ｒａｄｉｏ  Ａｃｃｅｓｓ  Ｎｅｔｗｏｒｋ：ＲＡＮ）３０が含まれる。ＰＳＣＮ２０には、１つ以上の、インターネットのような、公衆データネットワーク（ＰＤＮ）５０への接続を提供するパケットデータサービングノード（ＰＤＳＮ）が含まれる。ＰＳＣＮ２０の詳細は本発明に関する資料ではないので、ＰＳＣＮ２０についてはここではさらには記述しない。
【００１３】
ＲＡＮ３０には、移動局１００とＰＣＳＮ２０との間に無線インターフェースが備わる。代表的なＲＡＮ３０には、パケット制御機能（Ｐａｃｋｅｔ  Ｃｏｎｔｒｏｌ  Ｆｕｎｃｔｉｏｎ：ＰＣＦ）３２、１つ以上の基地局コントローラ（Ｂａｓｅ  Ｓｔａｔｉｏｎ  Ｃｏｎｔｒｏｌｌｅｒｓ：ＢＳＣ）３４および複数の無線基地局（Ｒａｄｉｏ  Ｂａｓｅ  Ｓｔａｔｉｏｎｓ：ＲＢＳ）３６が含まれる。ＢＳＣ３４は、ＲＢＳ３６をＰＣＦ３２に接続し、ＲＢＳ３６に対する通信手段を管理する。移動局１００は、ＩＳ‐２０００ファミリーの基準のような適切なネットワーク基準によって定義されるエアー・インターフェイスを介して、ＲＢＳ３６と通信する。
【００１４】
図２は、本発明の一実施例による代表的なＲＢＳ３６の機能図を例示する。ＲＢＳ３６には、制御回路３８、複数の送信機４０および受信機４２、マルチプレクサ４４、デマルチプレクサ４６および一つ以上の送受信アンテナ４８が含まれる。制御回路３８は、ＲＢＳ３６の動作を制御する。制御回路３８は、一つ以上のマイクロプロセッサまたはマイクロコントローラあるいはその他の論理回路を備える。受信アンテナ４８によって移動局１００から受信される信号が、デマルチプレクサ４６によってデマルチプレクスされ、受信機４２に送られて処理される。ＲＢＳ３６によって送信される信号は、マルチプレクサ３０によって結合されて、送信アンテナ４８に加えられる。図２の機能素子は、ソフトウェア、ハードウェアまたは双方の組み合わせにおいて実施される。例えば、ＲＢＳ３６の一つ以上の機能素子は、ＲＢＳ３６に含まれている一つ以上のマイクロプロセッサまたはその他の論理回路によって実行される記憶されたプログラムのインストラクションとして実施される。
【００１５】
図３は、本発明の一実施例による代表的な移動局１００の機能ブロック図である。ここで用いられる「移動局」という語には、携帯無線電話、携帯無線電話をデータ処理、ファクシミリおよびデータ通信機能と結びつけるパーソナル通信システム（ＰＣＳ）端末、無線呼出し、ウェブブラウザ、無線電話、インターネット／イントラネットアクセス、オーガナイザー、カレンダーおよび通常のラップトップおよび／またはパームトップ受信機または無線電話受信機を含むその他の装置を含む携帯情報端末（ＰＤＡ）が含まれる。
【００１６】
移動局１００には、当技術分野で周知のようにマルチプレクサ１１８を介してアンテナ１１６に接続されるトランシーバ１１０が含まれている。移動局１００にはさらに、システムコントローラ１２０、メモリ１３０、オーディオ処理回路１４０およびユーザーインターフェース１５０が含まれている。トランシーバ１１０には、送信機１１２と受信機１１４が含まれている。トランシーバ１１０は、例えばｃｄｍａ２０００またはＷＣＤＭＡ基準に従って動作する。しかしながら、本発明は、これらの基準での使用に限定されるものではなく、本発明は、他の基準についても拡張または変更されることが当業者には認知される。
【００１７】
システムコントローラ１２０は、メモリ１３０に記憶されているプログラムインストラクションに従って、移動基地１００についての全体動作を制御する。システムコントローラ１２０は、マイクロプロセッサまたはマイクロコントローラを備えており、特定用途向けＩＣ（ＡＳＩＣ）の一部である。メモリ１３０は、移動局１００におけるメモリの全階層を表す。メモリ１３０は、データ、オペレーティングシステムプログラムおよびアプリケーションプログラムを蓄積する。メモリ１３０は、システムコントローラと一体化され、または１つ以上の個別のメモリ装置において実現される。オーディオ処理回路１４０は、移動局１００によって送受信されるオーディオ信号を処理する。
【００１８】
ユーザーインターフェース１５０は、典型的には、キーパッド１５２、ディスプレイ１５４、マイクロフォン１５６、および／またはスピーカー１５８を備える。キーパッド１５２によって、オペレータは、コマンドを入力し、メニューオプションを選択することが可能となり、一方、ディスプレイ１５４によって、オペレータは、メニューオプション、入力されたコマンドおよびその他のサービス情報を見ることが可能となる。マイクロフォン１５６は、オペレータのスピーチを電気オーディオ信号に変換して、オーディオ処理回路１４０へと入力する。スピーカー１５８は、オーディオ処理回路１４０から出力されるオーディオ信号をオペレータが聞くことのできる可聴信号へと変換する。
【００１９】
ＲＢＳ３６は、複数の移動局１００と通信する。ＲＢＳ３６は、複数のリバースリンクチャンネルを介して移動局１００から信号を受信する。ｃｄｍａ２０００ネットワークにおけるリバースリンクチャンネルには、例えば、リバースパイロットチャンネル（ｒｅｖｅｒｓｅ  ｐｉｌｏｔ  ｃｈａｎｎｅｌ：Ｒ‐ＰＩＣＨ）、リバース二次パイロットチャンネル（ｒｅｖｅｒｓｅ  ｓｅｃｏｎｄａｒｙ  ｐｉｌｏｔ  ｃｈａｎｎｅｌ：Ｒ‐ＳＰＩＣＨ）、リバース専用制御チャンネル（ｒｅｖｅｒｓｅ  ｄｅｄｉｃａｔｅｄ  ｃｏｎｔｒｏｌ  ｃｈａｎｎｅｌ：Ｒ‐ＤＣＣＨ）、リバース基礎チャンネル（ｒｅｖｅｒｓｅ  ｆｕｎｄａｍｅｎｔａｌ  ｃｈａｎｎｅｌ：Ｒ‐ＦＣＨ）、リバース補充チャンネル（ｒｅｖｅｒｓｅ  ｓｕｐｐｌｅｍｅｎｔａｌ  ｃｈａｎｎｎｅｌ：Ｒ‐ＳＣＨ）、リバースパワー制御チャンネル（ｒｅｖｅｒｓｅ  ｐｏｗｅｒ  ｃｏｎｔｒｏｌ  ｃｈａｎｎｅｌ：Ｒ‐ＰＣＣＨ）、リバースＡＣＫチャンネル（ｒｅｖｅｒｓｅ  ＡＣＫ  ｃｈａｎｎｅｌ：Ｒ‐ＡＣＫＣＨ）、リバースチャンネル品質指示チャンネル（ｒｅｖｅｒｓｅ  ｃｈａｎｎｅｌ  ｑｕａｌｉｔｙ  ｉｎｄｉｃａｔｏｒ  ｃｈａｎｎｅｌ：Ｒ‐ＣＱＩＣＨ）、リバースパケットデータチャンネル（ｒｅｖｅｒｓｅ  ｐａｃｋｅｔ  ｄａｔａ  ｃｈａｎｎｅｌ：Ｒ‐ＰＤＣＨ）、リバースリクエストチャンネル（ｒｅｖｅｒｓｅ  ｒｅｑｕｅｓｔ  ｃｈａｎｎｅｌ：Ｒ‐ＲＥＱＣＨ）、リバースパケットデータ制御チャンネル（ｒｅｖｅｒｓｅ  ｐａｃｋｅｔ  ｄａｔａ  ｃｏｎｔｒｏｌ  ｃｈａｎｎｅｌ：Ｒ‐ＰＤＣＣＨ）、リバースアクセスチャンネル（ｒｅｖｅｒｓｅ  ａｃｃｅｓｓ  ｃｈａｎｎｅｌ：Ｒ‐ＡＣＨ）、リバース強化アクセスチャンネル（ｒｅｖｅｒｓｅ  ｅｎｈａｎｃｅｄ  ａｃｃｅｓｓ  ｃｈａｎｎｅｌ：Ｒ‐ＥＡＣＨ）およびリバース共通信号チャンネル（ｒｅｖｅｒｓｅ  ｃｏｍｍｏｎ  ｓｉｇｎａｌｉｎｇ  ｃｈａｎｎｅｌ：Ｒ‐ＣＳＣＨ）が含まれる。移動局１００は、パイロット信号をＲ‐ＰＩＣＨおよびＲ‐ＳＰＩＣＨで送信するが、それらはチャンネル評価および信号強度測定のためにＲＢＳ３６で用いられる。Ｒ‐ＦＣＨおよびＲ‐ＳＣＨは、音声および／またはデータを運ぶのに用いられるトラフィックチャンネルである。Ｒ‐ＤＣＣＨは、Ｒ‐ＦＣＨおよびＲ‐ＳＣＨのための信号送信オーバーヘッドを運ぶ。Ｒ‐ＰＤＣＨは、リバースリンクトラフィックのための高速パケットデータチャンネルである。Ｒ‐ＰＤＣＣＨは、Ｒ‐ＰＤＣＨのための信号送信オーバーヘッドを運ぶ。Ｒ‐ＲＥＱＣＨは、Ｒ‐ＰＤＣＨを支援する手段リクエスト情報を運ぶ。Ｒ‐ＡＣＫＣＨは、移動局１００によって用いられて、順方向リンクで移動局１００に送信されるデータフレームを承認する。Ｒ‐ＰＣＣＨは、移動局１００によって用いられて、基地局にパワー制御情報を送る。Ｒ‐ＡＣＨおよびＲ‐ＥＡＣＨは、ランダムなアクセスのためにアクセスプローブを送信するのに用いられる。Ｒ‐ＣＳＣＨは、共通の信号送信チャンネルである。リバースリンクチャンネルのリスティングは徹底したものではなく、その他にもリバースリンクチャンネルは存在する。また、リストに挙げられたチャンネルが、本発明を実施するの��必要とされるわけでもない。発明の好ましい実施例においては、全てのリバースリンクチャンネルでの送信が休止化されて、バックグラウンドノイズの測定が可能となる。
【００２０】
ＣＤＭＡシステムによっては、全てのリバースリンクチャンネルについてフレームタイミングが同じではない。さらには、異なる移動局についてのリバースリンクチャンネルによってはフレームタイミングが異なる。全てのリバースリンクチャンネルが同期するわけではないので、信号フレームを「休止期間」として指定し、ＲＢＳ３６が、通信システムにおいてバックグラウンドノイズのノイズパワーを測定できるものとすることは不可能である。
【００２１】
本発明によると、たとえフレームタイミングが全てのリバースリンクチャンネルについて同期しておらず、かつたとえフレームタイミングが全ての移動局１００の間で同じでなくとも、全ての移動局について同じである周期的な休止期間が定義される。本発明によると、休止パラメータが、ＲＢＳ３６によって移動局１００へと送信される。休止パラメータは、周波数または周期性、期間および周期的な休止期間についての時間基準を特定する。休止パラメータの値は、システムオペレータによって選択され、かつＲＢＳ３６が構成されるときにＲＢＳ３６にプログラムされる。
【００２２】
周期性パラメータは、休止期間の周波数を特定する。周期密度の典型的な値は１０秒である。期間パラメータは、休止期間の長さを特定する。期間パラメータの典型的な値は２０ｍｓである。好ましい実施例においては、時間基準パラメータによって全ての移動局および全てのリバースリンクチャンネルについて、休止期間を同期させるための絶対時間基準が提供される。時間基準は、システムクロックまたは地球位置決定システム（Ｇｌｏｂａｌ  Ｐｏｓｉｔｉｏｎｉｎｇ  Ｓｙｓｔｅｍ：ＧＰＳ）クロックからまたはそれらに基づいて得られる。時間基準は、例えば次の休止期間の開始時間を指定する。休止パラメータは、好ましくは、順方向放送制御チャンネル（Ｆ‐ＢＣＣＨ）で制御メッセージの一部として放送される。あるいは、休止パラメータは、順方向無線呼出しチャンネル（Ｆ‐ＰＣＨ）で移動局１００に送られる。現存する移動局１００で逆方向の互換性を得るために、Ｆ‐ＰＣＨとＦ‐ＢＣＣＨとの双方で休止パラメータを送信することが必要である。
【００２３】
図４は、代表的なリバースリンクチャンネルについてフレームタイミングと休止期間とを例示する。図４に示されるとおり、各リバースリンクチャンネルは、複数のフレーム２００に分割される。この例において、リバースリンクチャンネルの全てについて、フレーム２００は期間が２０ｍｓであると仮定する。しかしながら、全チャンネルについてフレームが同じ長さである必要はない。各フレームは、さらにパワー制御グループ（ｐｏｗｅｒ  ｃｏｎｔｒｏｌ  ｇｒｏｕｐ：ＰＣＧ）２０６に分割される。代表的な実施例において、各フレーム２００には、１６のＰＣＧがある。周期性および期間パラメータはＰＣＧによって特定される。
【００２４】
図４の斜線領域は休止期間２０２を表し、それらは、この例において、１６のＰＣＧまたは２０ｍｓの期間である。しかしながら、休止期間が、リバースリンクフレームと同じ長さである必要はない。図４に示されるように、休止期間２０２は、必ずしもフレーム境界とは一致しない。また、休止期間２０２は、フレーム境界２０４を横切って二つの別個のフレーム２００の一部を包含することに注意する。時間基準は、各休止期間の始まりを、システムクロックまたはＧＰＳクロックのような絶対時間基準に連結して、休止期間が全移動局１００および全リバースリンクチャンネルについて同期されるものとする。
【００２５】
移動局１００は、Ｆ‐ＢＣＣＨおよび／またはＦ‐ＰＣＨを読み取って休止パラメータを獲得するようにプログラムされている。動作中、移動局１００は、ＲＢＳ３６がバックグラウンドノイズのパワーを測定する指定された休止期間２０２中、全リバースリンクチャンネルで送信を一時中断する。各休止期間２０２の終りに、移動局１００は、リバースリンクチャンネルでの送信を再開する。遅延許容トラフィックを運ぶリバースリンクチャンネルでは、移動局１００が、フレーム２００の真ん中において送信を停止、再開し、抜かされるフレームがないようにする。音声チャンネルのような、遅延を許容しない実時間トラフィックチャンネルについては、移動局１００は、休止期間２０２中に送信されていたはずのフレーム２００を消去する。休止期間２０２がフレーム２００の真ん中で始まるならば、移動局１００は、休止期間と重畳する全てのフレーム２００を消去する。そして、移動局１００は、休止期間２０２が終った後、最初の完全なフレーム２００の始まりに送信を再開する。あるいは、移動局１００は、休止期間の始まりと重畳するフレームの最初の部分を送信し、休止期間中の送信を一時停止し、そして休止期間に続いてフレームの残りを送信する。この場合、休止期間の終りと重畳するフレームおよび全ての介入フレームは消去される。この方法では、これが無ければ消去されていたはずのデータの、少なくとも１つのフレームが保護される。
【００２６】
いくつかのチャンネルについて、移動局１００は、送信されるフレームが休止期間と重畳するかどうか、そのフレームの送信に先立ってチェックする。この手順が用いられるチャンネルには、リバースアクセスチャンネル（Ｒ‐ＡＣＨ）、リバース強化アクセスチャンネル（Ｒ‐ＥＡＣＨ）およびリバース共通信号送信チャンネル（Ｒ‐ＣＳＣＨ）が含まれている。Ｒ‐ＡＣＨまたはＲ‐ＥＡＣＨでアクセスプローブを送信するのに先立って、移動局１００は、アクセスプローブ送信が休止期間と重畳するかどうかをチェックすることが必要である。そうであるならば、移動局１００は、休止期間と重畳しない、次のＲ‐ＡＣＨまたはＲ‐ＥＡＣＨスロットへのアクセスプローブの送信を遅延することが必要である。同様の手順が、Ｒ‐ＣＳＣＨで用いられる。
【００２７】
前述したのと同様の手順が、順方向チャンネルでも使用される。休止期間がフレームの真ん中で始まる場合には、移動局１００は、記憶が中断される前にフレームの最初の部分を蓄積する。休止期間が終わると、ＲＢＳ３６はフレーム２００の残りを送信する。移動局１００は、２つの部分を結合して完全なフレームを形成する。休止期間によって完全に空にされたフレームは消去される。場合によっては、ＲＢＳ３６は、休止期間と重畳する全てのフレームを消去する。
【００２８】
移動通信システムによっては、全移動局１００が突然に送信を停止し、開始することが望ましくはない。発明の一実施例によると、移動局１００は、その送信パワーを、休止期間２０２の始まりで、現在の送信レベルから次第にゼロへと低減させ、かつ休止期間２０２の終りで、ゼロから次第に望ましい送信パワーレベルへと増大させるようプログラムされている。休止期間２０２の始まりおよび終りのそれぞれに、移動局の送信パワーを、このように次第に傾斜下降させかつ傾斜上昇させることが、図５Ａおよび５Ｂに例示されている。
【００２９】
図５Ａにおいて、休止期間には、パワーの傾斜上昇および傾斜下降であって、それぞれ、休止期間の始まりおよび終りのための保護時間が含まれる。この場合、時間基準パラメータは、移動局１００がその送信パワーの傾斜下降を開始する時間に印を付ける。図５Ｂにおいて、移動局１００は、休止期間２０２の開始前にそれらの送信パワーの傾斜下降を開始し、かつ休止期間２０２が終わった直後に傾斜上昇を開始した。この場合、時間基準パラメータは、全ての伝達が休止化されなければならない時間を特定する。いずれの場合においても、ＲＢＳ３６は、移動局１００が、その送信パワーをいかに迅速に傾斜下降させ、かつ傾斜上昇させなければならないかを特定する第４の休止パラメータを送信する。ＲＢＳ３６は、送信パワーを傾斜上昇および傾斜下降させる固定期間を特定するか、またはその代わりに送信パワーを傾斜下降させ、かつ傾斜上昇させるレートを特定する。適用可能な基準によって、傾斜レートもまた特定できる。
【００３０】
図６は、移動局１００において周期的な休止期間を実施するクロック回路２５０を例示する。クロック回路２５０は、カウントダウンタイマーとして機能する一組のカウンター２５２、２５４を備える。発明の代表的な実施例において、周期性および期間パラメータが、ＰＣＧによって特定され、そしてカウンター２５２、２５４は、パワー制御グループ（ＰＣＧ）の数をカウントする。双方のカウンター２５２、２５４が、８００Ｈｚのクロック信号を基準として受信する。システムコントローラ１２０は、休止パラメータに基づいて、カウンター２５２、２５４の開始値を設定する。周期性パラメータは、周期カウンター２５２の初期値を決定する。期間パラメータは、期間カウンター２５４の初期値を決定する。周期カウンター２５２は、各休止期間２０２の始まりに印を付ける停止信号を生成する。周期カウンター２５２からの停止信号は、期間カウンター２５４をリセットする。期間カウンター２５４がゼロにカウントダウンするとき、期間カウンター２５４は再開信号を生成する。システムコントローラ１２０は、停止信号に応答してリバースリンクチャンネルで送信を停止し、かつ再開信号に応答してリバースリンクチャンネルで送信を再開する。移動局１００が最初にオンとされるとき、システムコントローラ１２０は、放送チャンネルから読み取られる時間基準パラメータを用いて、最初の休止期間２０２について周期カウンター２５２を開始する。その後、周期カウンター２５２は、停止信号を生成するたび毎にリセットを行う。システムコントローラ１２０はまた、クロックドリフトを補償するために周期カウンター２５２をリセットする。
【００３１】
使用されている全ての移動局１００が、休止期間２０２を認識するわけではない。古い移動局１００の問題を処理するのにいくつかの方法がある。マルチキャリアシステムにおいて、休止期間を認識しない古い移動局１００は、１つのキャリアに割り当てられ、休止期間を認識する移動局１００は、別のキャリアに割り当てられる。この場合、測定されるノイズパワーのほんの一部は、隣接するキャリアインターフェースのせいであると考えられる。ほとんどのシステムにおいて、隣接するキャリアインターフェースの量は、バックグラウンドノイズパワーの測定が信頼できるものとなるように十分小さくなければならない。単一のキャリアシステムにおいて、古い移動局１００は、候補となる周波数のサーチを、休止期間中、別の周波数で行うよう命令されるが、それは現在使われていないダミーのキャリアである。
【００３２】
実施例によっては、休止期間を実施すると、リバースリンクパワー制御に悪影響を及ぼす。休止期間中はリバースリンク信号がないので、ＲＢＳ３６は、リバースリンクで信号対ノイズ比（ＳＮＲ）を測定することができないが、そうでなければ、リバースリンクチャンネル条件においてバリエーションを決定し、それは、内部ループパワー制御のためのパワー制御コマンドを生成するのに必要である。したがって、順方向リンクパワー制御サブチャンネルをオフとし、および／または順方向リンクパワー制御チャンネルを無視するように、移動局１００に指示することが望ましい。休止期間中はリバースリンクパワー制御が行われないので、休止期間の終りに、ＲＢＳ３６によって用いられる目標設定ポイントを調整することもまた望ましい。例えば、休止期間の始まりで目標設定ポイントがＥｂ／Ｎｔ＝５ｄＢであるならば、休止期間中に送信条件が悪化してよりパワーが必要とされる場合に、休止期間から抜け出してより大きなクッションを提供するとき、設定ポイントは、Ｅｂ／Ｎｔ＝５．５に調整される。
【００３３】
図７は、本発明の別の実施例を例示する。図７は、フレームタイミングが異なり、ＣＨ１およびＣＨ２と呼称された２つのリバースリンクチャンネルを示す。各チャンネルのフレーム長は同じであるが、発明の実施例によっては、異なっていても良い。チャンネルＣＨ１およびＣＨ２は、単一の移動局で用いられるかまたは、２つの異なる移動局で用いられる。チャンネルＣＨ１およびＣＨ２について、非同期で重畳する休止期間２０２が定義される。代表的な実施例において、休止期間２０２の長さは２つ以上のフレームに等しく、かつ休止期間２０２の始まりと終りはフレーム境界２０４と一致する。そうして、休止期間２０２の期間は、フレーム長の整数倍に等しい。この実施例において、ＲＢＳ３６は、休止期間２０２が重畳するときにバックグラウンドノイズを測定する。全リバースリンクチャンネルについてフレーム長が同じであるシステムにおいては、全移動局１００を、２つの連続するフレームの間休止化することで、長さが１つのフレームに等しい有効休止期間を得ることができる。この実施例の１つの利点は、移動局１００が異なる時間に送信を開始および停止し、ＲＢＳ３６には、負荷に大きな段階の変化が見られないことである。
【００３４】
もちろん、発明の範囲および本質的な特徴から逸脱することなく、ここに説明される以外の特定の方法で本発明を実施しても良い。したがって、本実施例は、あらゆる観点において、例示的であって、限定的ではないと考えられるべきであって、添付した特許請求の範囲の意味およびそれに等しい範囲内でもたらされるあらゆる変更は、そこに包含されることが意図されている。
【図面の簡単な説明】
【００３５】
【図１】無線通信ネットワークのブロック図である。
【図２】図１の無線通信ネットワークにおける無線基地局のブロック図である。
【図３】図１の無線通信ネットワークにおける移動局のブロック図である。
【図４】リバースリンクチャンネルでの周期的な休止期間を示す。
【図５Ａ】休止期間の始まりと終りにおける移動局送信パワーの傾斜を示す。
【図５Ｂ】休止期間の始まりと終りにおける移動局送信パワーの傾斜を示す。
【図６】周期的な休止期間を実施するために移動局で用いられるクロック回路を示す。
【図７】２つの非同期リバースリンクチャンネルについて非同期かつ重畳する休止期間を示す。
【図１】
2007531347.tif 000003
【図２】
2007531347.tif 000004
【図３】
2007531347.tif 000005
【図４】
2007531347.tif 000006
【図５Ａ】
2007531347.tif 000007
【図５Ｂ】
2007531347.tif 000008
【図６】
2007531347.tif 000009
【図７】
2007531347.tif 000010
【手続補正書】
【提出日】平成17年5月2日(2005.5.2)
【手続補正２】
【補正対象書類名】特許請求の範囲
【補正対象項目名】全文
【補正方法】変更
【補正の内容】
【特許請求の範囲】
【請求項１】
移動通信システムにおいて１つ以上の基地局でノイズを測定する方法であって、
リバースリンクチャンネルフレーム境界とは独立する少なくとも１つのキャリアについて周期的な休止期間を定義するステップと、
その周期的な休止期間を定義する休止パラメータを、基地局と通信する移動局に送信するステップであって、
前記移動局は、その周期的な休止期間中に送信を停止している、前記ステップと、
前記周期的な休止期間中に各基地局でノイズを測定するステップと、
を有する方法。
【請求項２】
休止パラメータには、前記休止期間の周波数を表示する周波数パラメータと、前記休止期間の時間を表示する期間パラメータと、非同期リバースリンクチャンネルについて休止期間を同期させる絶対時間基準を提供する時間基準パラメータとが含まれている請求項１に記載の方法。
【請求項３】
周期的な休止期間が、少なくとも２つの連続するリバースリンクフレームの一部を包含する請求項１に記載の方法。
【請求項４】
周期的な休止期間中に各基地局でノイズを測定するステップには、周期的な休止期間中にノイズのパワーを測定することが含まれる請求項１に記載の方法。
【請求項５】
ノイズには隣接するキャリアの干渉が含まれている請求項１に記載の方法。
【請求項６】
前記移動通信システムはマルチキャリアシステムであり、かつ前記周期的な休止期間は少なくとも１つのキャリアについて定義されている請求項１に記載の方法。
【請求項７】
移動局の第１のグループを、周期的な休止期間を備える第１のキャリアに割り当てるステップと、
移動局の第２のグループを、周期的な休止期間を備えない第２のキャリアに割り当てるステップと、
をさらに有する請求項６に記載の方法。
【請求項８】
前記周期的な休止期間が複数のキャリアについて定義される請求項６に記載の方法。
【請求項９】
前記周期的な休止期間が２つ以上のキャリアについて同期される請求項８に記載の方法。
【請求項１０】
前記周期的な休止期間が全キャリアについて定義される請求項６に記載の方法。
【請求項１１】
前記周期的な休止期間が全キャリアについて同期される請求項１０に記載の方法。
【請求項１２】
休止期間を認識しない古い移動局に、休止期間中にリバースリンクでの送信を停止させるステップをさらに有する請求項１に記載の方法。
【請求項１３】
休止期間を認識しない古い移動局に、休止期間中にリバースリンクでの送信を停止させるステップは、前記古い移動局を休止期間中にダミーのキャリアに割り当てるステップを含む請求項１２に記載の方法。
【請求項１４】
休止期間を認識しない古い移動局に、休止期間中にリバースリンクでの送信を停止させるステップには、前記古い移動局に、休止期間中に異なるキャリアで候補周波数のサーチを行うように指示するステップを含む請求項１２に記載の方法。
【請求項１５】
前記休止期間の時間は少なくとも１フレームである請求項１に記載の方法。
【請求項１６】
前記休止期間の時間は１フレーム未満である請求項１に記載の方法。
【請求項１７】
休止期間中に順方向リンクパワー制御チャンネルでのパワー制御コマンドの送信を一時停止するステップをさらに有する請求項１に記載の方法。
【請求項１８】
前記少なくとも１つのキャリアについて周期的な休止期間を定義するステップが、フレームタイミングの異なる少なくとも２つのリバースリンクチャンネルについて非同期で重畳する休止期間を定義するステップを有する請求項１に記載の方法。
【請求項１９】
前記休止パラメータを送信するステップが、重畳する休止期間を定義する休止パラメータを送信するステップを有する請求項１８に記載の方法。
【請求項２０】
前記周期的な休止期間中に各基地局でノイズを測定するステップが、休止期間において重畳する間にノイズを測定するステップを有する請求項１９に記載の方法。
【請求項２１】
リバースリンクチャンネルフレーム境界とは独立する少なくとも１つのキャリアについて周期的な休止期間を定義するコントローラと、
前記周期的な休止期間を定義する休止パラメータを移動局に送信する送信機と、
前記周期的な休止期間中にノイズを測定する測定回路を含む受信機と
を有する、移動通信システムにおける基地局。
【請求項２２】
前記休止パラメータには、前記休止期間の周波数を表示する周波数パラメータと、前記休止期間の時間を表示する期間パラメータと、非同期リバースリンクチャンネルについて前記休止期間を同期させる絶対時間基準を提供する時間基準パラメータとが含まれている請求項２１に記載の基地局。
【請求項２３】
前記周期的な休止期間が、少なくとも２つの連続するフレームの一部を包含する請求項２１に記載の基地局。
【請求項２４】
前記周期的な休止期間中にノイズのパワーを前記受信機が測定する請求項１８に記載の基地局。
【請求項２５】
前記ノイズには隣接するキャリアの干渉が含まれている請求項２１に記載の基地局。
【請求項２６】
前記移動通信システムはマルチキャリアシステムであり、かつ前記コントローラは少なくとも１つのキャリアについて周期的な休止期間を定義する請求項２１に記載の基地局。
【請求項２７】
前記コントローラが、移動局の第１のグループを周期的な休止期間を備える第１のキャリアに割り当て、かつ
移動局の第２のグループを周期的な休止期間を備えない第２のキャリアに割り当てるようさらに動作可能である請求項２６に記載の基地局。
【請求項２８】
前記周期的な休止期間が複数のキャリアについて定義される請求項２６に記載の基地局。
【請求項２９】
前記周期的な休止期間が２つ以上のキャリアについて同期される請求項２８に記載の基地局。
【請求項３０】
前記周期的な休止期間が全キャリアについて定義される請求項２６に記載の基地局。
【請求項３１】
前記周期的な休止期間が全キャリアについて同期される請求項２１に記載の基地局。
【請求項３２】
前記コントローラが、休止期間を認識しない古い移動局に、前記休止期間中にリバースリンクで送信するのを停止させるようにさらに動作可能である請求項２１に記載の基地局。
【請求項３３】
前記コントローラが、古い移動局を、前記休止期間中にダミーのキャリアに割り当てる請求項３２に記載の基地局。
【請求項３４】
前記コントローラが、前記古い移動局に、前記休止期間中に異なるキャリアで候補周波数のサーチを行うように指示する請求項３２に記載の基地局。
【請求項３５】
前記休止期間の時間が少なくとも１フレームである請求項２１に記載の基地局。
【請求項３６】
前記休止期間の時間が１フレーム未満である請求項２１に記載の基地局。
【請求項３７】
前記コントローラが、休止期間中に、順方向リンクパワー制御チャンネルでパワー制御コマンドを送信するのを一時停止する請求項２１に記載の基地局。
【請求項３８】
移動通信ネットワークにおける移動局であって、
１つ以上のリバースリンクチャンネルで１つ以上の基地局に信号を送信する送信機と、
リバースリンクチャンネルフレーム境界とは独立する周期的な休止期間を定義する休止パラメータを基地局から受信する受信機と、
送信機および受信機に動作可能に接続されるコントローラであって、周期的な休止期間中に送信機を停止させるよう動作可能である前記コントローラと
を有する移動局。
【請求項３９】
前記コントローラが、前記周期的な休止期間の初めに次第に減少させてパワーを送信し、前記休止期間の終りに次第に送信パワーを増大させるようさらに動作可能である請求項３８に記載の移動局。
【請求項４０】
前記休止パラメータには、前記休止期間の周波数を表示する周波数パラメータと、前記休止期間の時間を表示する期間パラメータと、非同期リバースリンクチャンネルについて休止期間を同期させる絶対時間基準を提供する時間基準パラメータとが含まれている請求項３８に記載の移動局。
【請求項４１】
前記周期的な休止期間は、少なくとも２つの連続するフレームの一部を包含する請求項３８に記載の移動局。
【請求項４２】
前記コントローラは、休止期間中に順方向パワー制御チャンネルを無視するようプログラムされている請求項３８に記載の移動局。
【請求項４３】
前記休止期間の時間が少なくとも１フレームである請求項３８に記載の移動局。
【請求項４４】
前記休止期間の時間が１フレーム未満である請求項３８に記載の移動局。
【請求項４５】
前記コントローラは、送信機に、休止期間の前にフレームの最初の部分を、かつ休止期間に続いて同じフレームの第２の部分を送信させる請求項３８に記載の移動局。
【請求項４６】
前記コントローラが、前記休止期間と重畳するフレームの送信を遅延させる請求項３８に記載の移動局。
【請求項４７】
前記コントローラが、前記休止期間と重畳するフレームを消去する請求項３８に記載の移動局。
【請求項４８】
移動通信システムにおけるバックグラウンドノイズの測定を容易にする送信方法であって、
リバースリンクチャンネルフレーム境界とは独立する少なくとも１つのキャリアについて周期的な休止期間を定義するステップと、
フレームが休止期間と重畳するかどうかを決定するステップと、
フレームが休止期間と重畳するかどうかの決定に応答して送信機を制御するステップと
を有する方法。
【請求項４９】
前記フレームが前記休止期間と重畳するかどうかの決定に応答して前記送信機を制御する前記ステップが、前記フレームの最初の部分を送信するステップと、前記休止期間中に前記フレームの送信を一時中断するステップと、前記休止期間に続いて前記フレームの第２の部分を送信するステップと、を有する請求項４８に記載の方法。
【請求項５０】
前記フレームが前記休止期間と重畳するかどうかの決定に応答して前記送信機を制御する前記ステップが、前記フレームが前記休止期間と重畳するならば前記フレームの送信を遅延させ、かつ前記休止期間に続いて遅延された前記フレームを送信するステップを有する請求項４８に記載の方法。
【請求項５１】
前記フレームが前記休止期間に重畳するかどうかの決定に応答して前記送信機を制御する前記ステップが、前記フレームが前記休止期間に重畳するならば前記フレームを消去するステップを有する請求項４８に記載の方法。
【国際調査報告】
2007531347.tif 000011
2007531347.tif 000012
2007531347.tif 000013